(57)【要約】【課題】  既存の非防水ソケットを使用して防水構造のソケットを得ること。【解決手段】  蛍光ランプの口金が取り付けられる受金を有した非防水小形ソケット１２を収納する防水ケース１１を設け、防水ケース１１は非防水小形ソケット１２の受金側と電線挿入側とが開口して受金側開口部１６及び電線挿入部側開口部１７を有する。防水ケース１１の受金側開口部１６には、蛍光ランプを挟持して防水ケース１１と螺合する防水キャップ２０が設けられる。また、防水ケース１１の電線挿入側開口部１６には、防水ケース１１に収納された非防水小形ソケット１２の上部と前面側を支える略Ｌ字形状支えリブを有したソケット押さえ部材２１が設けられる。【選択図】図１
2005093408.tif 000002
【特許請求の範囲】
【請求項１】
蛍光ランプの口金が取り付けられる受金部を有すると共に電線導入部を有した非防水小形ソケットと；
前記非防水小形ソケットを収納したとき前記非防水小形ソケットの受金部側及び電線挿入部側が開口して受金側開口部及び電線挿入部側開口部が形成された防水ケースと；
前記防水ケースの前記受金側開口部に設けられる防水キャップと；
前記防水ケースに収納された前記非防水小形ソケットの上部と前面側を支える略Ｌ字形状支えリブを有し、前記防水ケースの前記電線挿入側開口部に取り付けられるソケット押さえ部材と；
を備えたことを特徴とする防水形蛍光ランプソケット。
【請求項２】
前記非防水小形ソケットは背面側に爪状凸部を左右に二つ有し、前記防水ケースの内部にはその爪状凸部を係合し前記非防水小形ソケットを係止する係止リブを有したことを特徴とする請求項１記載の防水形蛍光ランプソケット。
【請求項３】
前記非防水小形ソケットを前記防水ケースの内部に挿入する際に前記非防水小形ソケットの爪状凸部をガイドするガイドリブと、前記非防水形ソケットの受金部本体をガイドするガイドリブとを前記防水ケースの内部に設けたことを特徴とする請求項２記載の防水形蛍光ランプソケット。
【請求項４】
前記ソケット押さえ部材は、前記防水ケース内に固定するための引掛け爪を前後方向に有し、その前後方向の引掛け爪の内側に前記非防水小形ソケットを収納し前記ソケット押さえ部材の内面が前記非防水小形ソケットの外郭面と接して前記引掛け爪を支えることを特徴とする請求項１乃至３のいずれか一記載の防水形蛍光ランプソケット。
【請求項５】
照明器具本体と；
前記照明器具本体に取り付けられたソケット取付台と；
前記ソケット取付台に取り付けられた請求項１乃至４のいずれか一記載の防水形蛍光ランプソケットと；  前記防水形蛍光ランプソケットに取り付けられる蛍光ランプと；
を備えたことを特徴とする照明装置。
【発明の詳細な説明】
【技術分野】
【０００１】
本発明は、蛍光ランプの口金箇所を外部に対し水密とした防水形蛍光ランプソケット及び照明装置に関する。
【背景技術】
【０００２】
一般に、蛍光ランプの口金箇所を外部に対し水密とするために、防水パッキンを内蔵した防水リングに蛍光ランプを貫通させて、蛍光ランプの口金をソケット本体の受金に装着し、防水リングをソケット本体に螺合させるようにしている。
【０００３】
例えば、ソケット本体の内底面に略環状の防水パッキン当接面を設け、また防水リングの前端部に防水リング当接部を設け、防水パッキンはランプに密着して前端部を防水リング当接部に当接すると共に後端部を防水パッキン当接部に当接して、防水部品を削減すると共に摩擦抵抗を低減して防水リングの締め付け操作性を向上させたものがある（例えば、特許文献１参照）。
【０００４】
また、防水リングのソケット本体の取付時に防水パッキンが脱落しないように係止手段を設けたもの（例えば、特許文献２参照）や、防水リングのソケット本体の取付時に必要以上に大きな締め付け操作力を要しないようにしたものがある（例えば、特許文献３参照）。
【特許文献１】特開平１１−３４５６６５号公報（図１、［００１５］）
【特許文献２】特開２０００−３１５５５７号公報（図３）
【特許文献３】特開２００１−５２８３０号公報（図６）
【発明の開示】
【発明が解決しようとする課題】
【０００５】
ところが、従来のものでは、防水リングのみならずソケット本体も防水専用の部品で構成されているので、ランプの大きさや種類によってそれぞれ別個に防水ソケットを製作する必要がある。そのため、例えば、販売数量の見込みが少ないランプの非防水小型ソケットに関し、防水構造の要請がある場合であっても、防水構造とするためには専用の金型を用意して防水専用の部品を製作しなければならない。従って、金型の投資費用が増大する。
【０００６】
本発明の目的は、既存の非防水ソケットを使用して防水構造のソケット得ることができる防水形蛍光ランプソケット及び照明装置を提供することである。
【課題を解決するための手段】
【０００７】
請求項１の発明に係わる防水形蛍光ランプソケットは、蛍光ランプの口金が取り付けられる受金部を有すると共に電線導入部を有した非防水小形ソケットと；前記非防水小形ソケットを収納したとき前記非防水小形ソケットの受金部側及び電線挿入部側が開口して受金側開口部及び電線挿入部側開口部が形成された防水ケースと；前記防水ケースの前記受金側開口部に設けられる防水キャップと；前記防水ケースに収納された前記非防水小形ソケットの上部と前面側を支える略Ｌ字形状支えリブを有し、前記防水ケースの前記電線挿入側開口部に取り付けられるソケット押さえ部材と；を備えたことを特徴とする。
【０００８】
本発明及び以下の発明において、特に指定しない限り用語の定義及び技術的意味は以下による。
【０００９】
非防水小形ソケットは防水構造が施されていない通常のソケットであり、蛍光ランプの口金が取り付けられる受金部を有し、電源が供給される電源挿入部を有している。防水ケースは非防水小形ソケットを内部に収納するものであり、非防水小形ソケットを収納したとき、非防水小形ソケットの受金部と電線挿入部とが位置する側にそれぞれ受金側開口部及び電源挿入側開口部を有する。
【００１０】
防水ケースの受金側開口部には蛍光ランプを挟持した防水キャップが螺合される。すなわち、防水ケースの受金側開口部は円筒状に形成され、その円筒の外周部には雄ネジが形成されている。そして、円筒状に形成され蛍光ランプの管筒を挟持した防水ケースの内面に形成された雌ネジと螺合して、防水キャップが防水ケースに取り付けられる。
【００１１】
防水キャップは円筒状に形成されその先端部に内向き縁部を有し、防水パッキン及びパッキン押さえ部材を内蔵する。防水キャップの内向き縁部に防水パッキンを収納すると共にパッキン押さえ部材により防水パッキンを押さえる。そして、防水キャップが防水ケースに螺合するにつれて、防水パッキンは防水キャップの先端部の内向き縁部により蛍光ランプの管筒の挟持力を増すように作用する。
【００１２】
ソケット押さえ部材は、防水ケースに収納された非防水小形ソケットの上部と前面側を支える略Ｌ字形状支えリブを内面側に有し、非防水小形ソケットの電線挿入側開口部の上部に配置され、略Ｌ字形状支えリブにより非防水小形ソケットを防水ケースに固定する。ソケット押さえ部材には、非防水小形ソケットの電線挿入側開口部から電線を引き出すための電線貫通孔を有する。ソケット押さえ部材の電線貫通孔を有する面の上部に必要に応じてＳＬ（スクリューレス）部パッキンを配置しさらに防水を図る。
【００１３】
本発明によれば、既存の非防水小形ソケットを防水ケースに収納し、既存の防水キャップを防水ケースに螺合して非防水小形ソケットの受金側開口部側を防水し、パッキン押さえ部材を防水ケースの上部に取り付けて電線挿入側開口部側を防水すると共に非防水小形ソケットを防水ケース内で固定するので、防水ソケットをランプの大きさや種類に応じて専用に製作する必要がなくなり、新規開発の部品点数を少なくできる。従って、金型投資費用を抑制できる。
【００１４】
請求項２の発明に係わる防水形蛍光ランプソケットは、請求項１の発明において、前記非防水小形ソケットは背面側に爪状凸部を左右に二つ有し、前記防水ケースの内部にはその爪状凸部を係合し前記非防水小形ソケットを係止する係止リブを有したことを特徴とする。
【００１５】
本発明は、請求項１の発明において、さらに、非防水小形ソケットの背面側に左右一対の爪状凸部を設け、防水ケースの内部にはその爪状凸部を係合する係止リブを設け、防水ソケット内部での非防水小形ソケットをより確実に固定するようにしたものである。
【００１６】
防水ケースに内蔵される非防水小形ソケットは、通常、小形で概略丸形状をしているが、防水ケースに組み込むと内部で回転しやすい。回転するとソケット押さえ部材を組み込むときにソケット押さえ部材が非防水小形ソケットに当たり装着し難いので、非防水小形ソケットを防水ケースに組み入れた時点で回転しないように、非防水小形ソケットの背面側に爪状凸部を設けて、その内側に入る係止リブで支えるようにしている。
【００１７】
本発明によれば、請求項１の発明に効果に加え、防水ケースに収納した非防水小形ソケットの回転方向の動きを、非防水小形ソケットの背面側に設けた爪状凸部及び防水ケース内部に設けた係止リブで抑制するので、ソケット押さえ部材の装着が容易に行える。
【００１８】
請求項３の発明に係わる防水形蛍光ランプソケットは、請求項２の発明において、前記非防水小形ソケットを前記防水ケースの内部に挿入する際に前記非防水小形ソケットの爪状凸部をガイドするガイドリブと、前記非防水形ソケットの受金部本体をガイドするガイドリブとを前記防水ケースの内部に設けたことを特徴とする。
【００１９】
本発明は、請求項２の発明において、さらに、非防水小形ソケットの爪状凸部をガイドするガイドリブと、非防水形ソケットの受金部本体をガイドするガイドリブとを設け、非防水形ソケットの防水ケースへの挿入をし易くすると共に受金部側の位置決めを容易に行えるようにしたものである。
【００２０】
非防水小形ソケットの爪状凸部をガイドするガイドリブは防水ケースの内面に沿って左右に水平方向に設けられ、非防水小形ソケットが防水ケースに挿入されたとき爪状凸部はそのガイドリブ上を摺動し防水ケース内に案内される。また、同様に、非防水形ソケットの受金部本体をガイドするガイドリブも、防水ケースの内面に沿って左右に水平方向に設けられ、非防水小形ソケットが防水ケースに挿入されたとき非防水形ソケットの受金部本体はそのガイドリブ上を摺動し防水ケース内に案内される。
【００２１】
本発明によれば、請求項２の発明の効果に加え、防水ケースに非防水小形ソケットを挿入する際に、非防水小形ソケットはガイドリブに案内されて挿入されるので防水ケースへの挿入が容易となり、また、爪状凸部の係止リブへの係合も容易となり受金側の位置決めも容易に行える。さらに、挿入後においてもガイドリブにより、防水ケース内部での非防水小形ソケットの位置が保持されるので、非防水小形ソケットのがたつきを少なくすることができ、衝撃強度の向上を図ることができる。
【００２２】
請求項４の発明に係わる防水形蛍光ランプソケットは、請求項１乃至３のいずれか一の発明において、前記ソケット押さえ部材は、前記防水ケース内に固定するための引掛け爪を前後方向に有し、その前後方向の引掛け爪の内側に前記非防水小形ソケットを収納し前記ソケット押さえ部材の内面が前記非防水小形ソケットの外郭面と接して前記引掛け爪を支えることを特徴とする。
【００２３】
本発明は、請求項１乃至３のいずれか一の発明において、ソケット押さえ部材の前後方向に防水ケース内に固定するための引掛け爪を設け、その前後方向の引掛け爪の内側に非防水小形ソケットを収納し、ソケット押さえ部材の内面が非防水小形ソケットの外郭面と接して前後方向の引掛け爪の位置を安定させるようにしたものである。
【００２４】
非防水小形ソケットは電線挿入後に電線を引張られる恐れがあるので、この際にソケット押さえ部材の引掛け力が弱いと非防水小形ソケットが外れる恐れがある。そこで、引掛け爪を設けて、引掛け爪が非防水小形ソケットに接するようにすることで容易に引掛け爪が動くことを防止して、ソケット押さえ部材の外れの防止を行う。
【００２５】
本発明によれば、請求項１乃至３のいずれか一の発明の効果に加え、ソケット押さえ部材は引掛け爪により確実に防水ケースに係止されるので、非防水小形ソケットの電線挿入後に電線が引張られてもソケット押さえ部材が離脱することはない。
【００２６】
請求項５の発明に係わる照明装置は、照明器具本体と；前記照明器具本体に取り付けられたソケット取付台と；前記ソケット取付台に取り付けられた請求項１乃至４のいずれか一の記載の防水形蛍光ランプソケットと；前記防水形蛍光ランプソケットに取り付けられる蛍光ランプと；を備えたことを特徴とする。
【００２７】
本発明によれば、請求項１乃至４のいずれか一の発明の効果を備えた照明装置を提供できる。
【発明の効果】
【００２８】
請求項１の発明によれば、防水ソケットをランプの大きさや種類に応じて専用に製作する必要がなくなり、新規開発の部品点数を少なくできる。従って、金型投資費用を抑制できる。請求項２の発明によれば、請求項１の発明に効果に加え、ソケット押さえ部材の装着が容易に行える。請求項３の発明によれば、請求項２の発明の効果に加え、防水ケースに非防水小形ソケットを挿入する際に、非防水小形ソケットはガイドリブに案内されて挿入されるので防水ケースへの挿入が容易となり、また、爪状凸部の係止リブへの係合も容易となり受金側の位置決めも容易に行える。さらに、挿入後においてもガイドリブにより、防水ケース内部での非防水小形ソケットの位置が保持されるので、非防水小形ソケットのがたつきを少なくすることができ、衝撃強度の向上を図ることができる。
【００２９】
また、請求項４の発明によれば、請求項１乃至３のいずれか一の発明の効果に加え、非防水小形ソケットの電線挿入後に電線が引張られてもソケット押さえ部材が離脱することはない。請求項５の発明によれば、請求項１乃至４のいずれか一の発明の効果を備えた照明装置を提供できる。
【発明を実施するための最良の形態】
【００３０】
図１は、本発明の第１の実施の形態の防水形蛍光ランプソケットの分解斜視図である。防水ケース１１に収納される非防水小形ソケット１２は、防水構造が施されていない通常のソケットであり、蛍光ランプの口金が取り付けられる受金部１３を有し、電源が供給される電源挿入部１４を有している。また、非防水小形ソケット１２の背面側には後述の爪状凸部１５が設けられている。蛍光ランプの口金が取り付けられる受金部１３は押し込み形である。
【００３１】
防水ケース１１は、内部に非防水小形ソケット１２を挿入したときに非防水小形ソケット１２の受金部１３が位置する受金側開口部１６と、非防水小形ソケット１２の電線挿入部１４が位置する電線挿入側開口部１７との二つの開口部を有する。防水ケース１１の受金側開口部１６は円筒状に形成され、その円筒の外周部には雄ネジ１８が形成されており、雄ネジ１８の後端部にはＯリングパッキン１９が配置されている。そして、この雄ネジ１８には防水キャップ２０が取り付けられる。すなわち、防水キャップ２０の内面には雌ネジが形成されており、この雌ネジと防水ケース１１の雄ネジ１８とが螺合して防水キャップ２０が防水ケース１１に取り付けられる。この場合、蛍光ランプの管筒は、防水キャップ２０を貫通して蛍光ランプの口金が非防水小形ソケット１２の受金部１３に装着される。
【００３２】
一方、防水ケース１１の電線挿入側開口部１７には、防水ケース１１に収納された非防水小形ソケット１２を支えるためのソケット押さえ部材２１が装着され、ソケット押さえ部材２１は、非防水小形ソケット１２の上部と前面側とを支える後述の略Ｌ字形状支えリブ２２を有すると共に、ソケット押さえ部材２１を防水ケース１１内に固定するための引掛け爪２３ａ、２３ｂを前後方向に有している。そして、その上部にはＳＬ（スクリューレス）部パッキン２４を配置し防水を図っている。
【００３３】
図２は、防水キャップ２０の分解斜視図である。防水キャップ２０の内側には防水パッキン２５及びパッキン押え部材２６が内蔵される。防水キャップ２０の先端部には、内向き縁部２７が斜め前に折れ曲がるテーパ状をなして形成されており、この内向き縁部２７の開口径を狭めている。従って、蛍光ランプの管筒が挟持された防水キャップ２０を防水ケース１１に螺合したとき、防水パッキン２５が内向き縁部２７の開口径に食い込み防水を図るようになっている。
【００３４】
図３は、非防水小形ソケット１２の説明図であり、図３（ａ）は正面図、図３（ｂ）は平面図である。非防水小形ソケット１２の受金部１３は円筒状に形成され、蛍光ランプの口金が取り付けられる受金２８が設けられて入る。この受金部１３は、通常状態において受金部本体２９に内蔵されたバネ部材により前面に突出しており、蛍光ランプの装着時にはバネ力に抗して蛍光ランプの口金を受金２８に押圧することにより蛍光ランプは受金部１３に装着される。受金部本体２９の上部には電線挿入部１４が形成され、電線挿入部１４には電線挿入口３０が設けられている。
【００３５】
また、非防水小形ソケット１２の背面側には左右にそれぞれ爪状凸部１５が設けられており、この爪状凸部１５は、後述するように防水ケース１１の内部に設けられた係止リブとを係合して非防水小形ソケット１２を防水ケース１１内に適正に係止する。
【００３６】
図４はソケット押さえ部材２１の説明図であり、図４（ａ）は背面図、図４（ｂ）は平面図、図４（ｃ）は正面図である。ソケット押さえ部材２１には略Ｌ字形状支えリブ２２が形成されており、ソケット押さえ部材２１を防水ケース１１の電線挿入側に組み込んだ際に、略Ｌ字形状支えリブ２２により、防水ケース１１に収納された非防水小形ソケット１２の上部と前面側を支える。また、ソケット押さえ部材２１には、非防水小形ソケット１２の電線挿入部１４の電線挿入口３０から電線を引き出すための電線貫通孔３１を有する。このソケット押さえ部材２１の上部に、同じく電線貫通孔を有したＳＬ（スクリューレス）部パッキン２４が必要に応じて配置される。また、ソケット押さえ部材２１の四隅には切欠部３２が設けられており、この切欠部３２は防水ケース１１に設けられた後述のガイド部材に案内されて移動し、ソケット押さえ部材２１を防水ケース１１に装着する。
【００３７】
ソケット押さえ部材２１の前後方向には、防水ケース１１内に固定するための引掛け爪２３ａ、２３ｂが設けられており、その前後方向の引掛け爪２３ａ、２３ｂの内側に非防水小形ソケット１２の電線挿入部１４が収納される。そして、ソケット押さえ部材２１の内面が非防水小形ソケット１２の電線挿入部１４の外郭面と接して引掛け爪２３ａ、２３ｂを支えるようになっている。なお、引掛け爪２３ａは略Ｌ字形状支えリブ２２を介して非防水小形ソケット１２の電線挿入部１４の外郭面により支えられ、引掛け爪２３ｂはソケット押さえリブ３３を介して非防水小形ソケット１２の電線挿入部１４の外郭面により支えられる。
【００３８】
このように、引掛け爪２３ａ、２３ｂが非防水小形ソケット１２の電線挿入部１４の外郭面に接するようにすることで、引掛け爪２３ａ、２３ｂが支えられ容易に引掛け爪２３ａ、２３ｂが動くことが防止される。従って、非防水小形ソケット１２の電線挿入後に電線が引張られてもソケット押さえ部材２１が離脱することはない。
【００３９】
図５は、防水ケース１１の断面図である。防水ケース１１の電線挿入側開口部１７には、ソケット押さえ部材２１を防水ケース１１に装着する際のガイド部材３４が設けられている。ガイド部材３４はソケット押さえ部材２１の切欠部３２を案内してソケット押さえ部材２１を防水ケース１１に装着するものであり、電線挿入側開口部１７の四隅に設けられている。
【００４０】
また、防水ケース１１の底部には非防水小形ソケット１２の底部を支持するための底部リブ３５が設けられ、防水ケース１１の背面部には非防水小形ソケット１２の背面部を支持するための背面部リブ３６が設けられている。さらに、非防水小形ソケット１２の爪状凸部１５と係合する係止リブ３７が防水ケース１１の側面部に設けられ、ソケット押さえ部材２１を防水ケース１１内に固定するための後部の引掛け爪２３ｂと係合する引掛け凸部３８が設けられている。
【００４１】
非防水小形ソケット１２の背面側に設けた爪状凸部１５及び防水ケース１１の内部に設けた係止リブ３７で防水ケース１１に収納した非防水小形ソケット１２の回転方向の動きを抑制する。また、引掛け爪２３ｂはソケット押さえ部材２１の外れの防止を行う。
【００４２】
図６は、非防水小形ソケット１２を収納しソケット押さえ部材２１を装着した状態での防水ケース１１の断面図である。まず、防水ソケット１１の受金側開口部１６から非防水小形ソケット１２を収納する。収納した非防水小形ソケット２１の下面は底部リブ３５で支持され、背面は背面部リブ３６で支持される。また、非防水小形ソケット１２の背面に設けられた爪状凸部１５は、非防水小形ソケット１２を防水ケース１１に組み入れたときに防水ケース１１の係止リブ３７と係合し、非防水小形ソケット１２の回転を防止する。
【００４３】
次に、防水ソケット１１の電線側開口部１７からソケット押さえ部材２１を装着する。防水ケース１１の電線挿入側開口部１７からソケット押さえ部材２１を挿入し、その際には、ソケット押さえ部材２１の切欠部３２が防水ケース１１のガイド部材３４に案内されて防水ケース１１に挿入される。そして、ソケット押さえ部材２１の略Ｌ字形状支えリブ２２により、非防水小形ソケット１２の上部と前面側とを支え、さらに、引掛け爪２３ａにより防水ケース１１の雄ネジ１８の内面に係止し、引掛け爪２３ａにより防水ケース１１の引掛け凸部３８に係止する。これのより、非防水ソケット１２のがたつきをなくすと共に、電線の引張力によるソケット押さえ部材２１の外れを防止する。
【００４４】
第１の実施の形態によれば、防水ソケット１１をランプの大きさや種類に応じて専用に製作する必要がなくなり、非防水小形ソケットであっても防水できる防水形蛍光ランプソケットを提供できる。
【００４５】
図７は本発明の第２の実施の形態に係わる防水形蛍光ランプソケットの防水ケース１１の斜視図、図８はその断面図である。この第２の実施の形態は前述の第１の実施の形態に対し、防水ケース１１の受金側開口部１６を広くし奥に行くに従って狭くなるように内部に勾配を持たせると共に、非防水小形ソケット１２を防水ケース１１の内部に挿入する際に非防水小形ソケット１２の爪状凸部１５をガイドするガイドリブ４５ａと、非防水形ソケットの受金部本体２９をガイドするガイドリブ４５ｂとを防水ケース１１の内部に設けたものである。第１の実施の形態と同一要素には同一符号を付し重複する説明は省略する。
【００４６】
ガイドリブ４５ａは、非防水小形ソケット１２の爪状凸部１５をガイドするためのガイドリブであり、防水ケース１１の内面に沿って左右に水平方向に設けられている。そして、非防水小形ソケット１２が防水ケース１１に挿入されたとき、爪状凸部１２がそのガイドリブ４５ａに当接し、爪状凸部１２はガイドリブ４５ａ上を摺動して防水ケース１１内に案内される。
【００４７】
一方、ガイドリブ４５ｂは非防水形ソケット１２の受金部本体２９をガイドするガイドリブであり、同様に、防水ケース１１の内面に沿って左右に水平方向に設けられている。非防水小形ソケット１２が防水ケース１１に挿入されたとき、非防水形ソケットの受金部本体２９はそのガイドリブ４５ｂに当接して摺動し防水ケース１１内に案内される。
【００４８】
従って、防水ケース１１に非防水小形ソケット１２を挿入する際に、非防水小形ソケット１２はガイドリブ４５ａ、４５ｂに案内されて挿入されるので、防水ケース１１への挿入が容易となる。また、爪状凸部１５の係止リブ３７への係合も容易となり受金側の位置決めも容易に行える。さらに、挿入後においてもガイドリブ４５ａ、４５ｂにより、防水ケース１１内部での非防水小形ソケット１２の位置が保持されるので、非防水小形ソケット１２のがたつきを少なくすることができ、衝撃強度の向上を図ることができる。
【００４９】
ここで、必要に応じて非防水形ソケットの受金部本体２９をガイドするガイドリブ４５ｂの長さを調整し、非防水小形ソケット１２の受金部１３に装着される蛍光ランプの誤装着を防止することも可能である。
【００５０】
例えば、蛍光ランプとして、現在ＦＬ１１０Ｗ（φ３８で口金が”−”形状）とＦＬＨＦ８６Ｗ（φ２５で口金が”＋”形状）との２種類が存在し、形状としての管径・口金形状は異なるが、現行の非防水小形ソケットではこの口金形状の違いに合わせた規格どおりの受金形状（−及び＋）に対応している。従って、ＦＬ１１０Ｗの蛍光ランプがＦＨＦ８６Ｗソケットに装着できてしまうことになり、その場合には照度特性等が適正に得られないことになる。そこで、この蛍光ランプの誤装着を防止するために、非適合となる管径の太い（φ３８）ＦＬ１１０Ｗランプの挿入を阻止するように防水ケース１１の受金側開口部１６近傍までガイドリブ４５ｂを長く形成する。これにより、ガイドリブの有る防水ケース１１をＦＨＦ８６Ｗ用ソケットに、またガイドリブのない防水ケース１１をＦＬ１１０Ｗ用ソケットに使用し、使い分けることで防水仕様も確実に得られる。
【００５１】
図９は本発明の第３の実施の形態に係わる照明装置の説明図であり、図９（ａ）は外観斜視図、図９（ｂ）は断面図である。図９（ａ）において、器具本体３９は天井面にねじ止めされ、器具本体３９にはねじ止め等よりＶ型反射板４０が連結されている。Ｖ型反射板４０には、第１の実施の形態の防水形蛍光ランプソケット４１が突出して設けられ、器具本体３９の長手方向に対向する防水形蛍光ランプソケット４１に両端部が取外し可能に直管型蛍光ランプ４２が取り付けられている。図９（ｂ）において、Ｖ型反射板４０で覆われた器具本体３９内には、安定器４３やその他の各種電気部品が収納され、また、防水形蛍光ランプソケット４１を取り付けるためのソケット取付台４４が収納されている。
【００５２】
すなわち、防水形蛍光ランプソケット４１の電線挿入側開口部はＶ型反射板４０に取り付けられ、防水形蛍光ランプソケット４１の受金側開口部は直管型蛍光ランプ４２が挟持されるので、防塵や防水を保つことができる。
【図面の簡単な説明】
【００５３】
【図１】本発明の第１の実施の形態の防水形蛍光ランプソケットの分解斜視図。
【図２】本発明の第１の実施の形態における防水キャップの分解斜視図。
【図３】本発明の第１の実施の形態における非防水小形ソケットの説明図であり、図３（ａ）は正面図、図３（ｂ）は平面図。
【図４】本発明の第１の実施の形態におけるソケット押さえ部材の説明図であり、図４（ａ）は背面図、図４（ｂ）は平面図、図４（ｃ）は正面図。
【図５】本発明の第１の実施の形態における防水ケースの断面図。
【図６】本発明の第１の実施の形態の防水ケースに非防水小形ソケットを収納しソケット押さえ部材を装着した状態での防水ケースの断面図。
【図７】本発明の第２の実施の形態の防水形蛍光ランプソケットにおける防水ケースの斜視図。
【図８】本発明の第２の実施の形態における防水ケースの断面図。
【図９】本発明の第３の実施の形態に係わる照明装置の説明図であり、図９（ａ）は外観斜視図、図９（ｂ）は断面図。
【符号の説明】
【００５４】
１１…防水ケース、１２…非防水小形ソケット、１３…受金部、１４…電線挿入部、１５…爪状凸部、１６…受金側開口部、１７…電線挿入側開口部、１８…雄ネジ、１９…Ｏリングパッキン、２０…防水キャップ、２１…ソケット押さえ部材、２２…略Ｌ字形状支えリブ、２３…引掛け爪、２４…ＳＬ部パッキン、２５…防水パッキン、２６…、２７…内向き縁部、２８…受金、２９…受金部本体、３０…電線挿入口、３１…電線貫通孔、３２…切欠部、３３…ソケット押さえリブ、３４…ガイド部材、３５…底部リブ、３６…背面部リブ、３７…係止リブ、３８…引掛け凸部、３９…器具本体、４０…Ｖ型反射板、４１…防水形蛍光ランプソケット、４２…直管型蛍光ランプ、４３…安定器、４４…ソケット取付台、４５…ガイドリブ
【図１】
2005093408.tif 000003
【図２】
2005093408.tif 000004
【図３】
2005093408.tif 000005
【図４】
2005093408.tif 000006
【図５】
2005093408.tif 000007
【図６】
2005093408.tif 000008
【図７】
2005093408.tif 000009
【図８】
2005093408.tif 000010
【図９】
2005093408.tif 000011